(57)【特許請求の範囲】
【請求項１】
片手で持てる程度の大きさのハウジング２１に、スプレー本体４１を液容器１５により着脱自在に設け、このスプレー本体４１の先端部にノズル１６を着脱自在に設けてなるスプレー装置において、前記ハウジング２１に、小型ポンプ２６、この小型ポンプ２６を駆動する小型モータ２７、１回の噴霧量を設定する時定数を調整可能にした噴霧量設定用制御回路３０および１回の押圧で前記噴霧量設定用制御回路３０にて設定された時定数だけ前記小型ポンプ２６を駆動せしめる電源スイッチ２８を具備し、前記スプレー本体４１の差し込み管部２５の一端部と前記小型ポンプ２６とを逆止弁２４を介在して着脱自在に連結し、前記スプレー本体４１内の前記差し込み管部２５の他端部を、逆止弁３３を介して前記液容器１５内に臨ませ、前記スプレー本体４１とノズル１６との間に逆止弁３８を介在し、前記ノズル１６の先端部にゴムキャップ３６を着脱自在に被せてなることを特徴とするホースレス型スプレー装置。
【請求項２】
スプレー本体４１の内部に臨ませた差し込み管部２５の内方端部分に、可撓性のあるチューブ３１が気密に連結され、このチューブ３１の他端部に逆止弁３３を取り付けたことを特徴とする請求項１記載のホースレス型スプレー装置。
【請求項３】
スプレー本体４１の内部に臨ませたチューブ３１の他端部の逆止弁３３は、弾性を有するプラスチック材からなり、先端が自身の弾性によって通常は密着して閉じているが、エア入出口部３２側からの圧搾空気によって開き、圧搾空気がなくなると自らの弾性で再び閉じるようにしたものからなることを特徴とする請求項２記載のホースレス型スプレー装置。
【発明の詳細な説明】
【０００１】
【産業上の利用分野】
本発明は、耳鼻咽喉科の薬液噴霧用、理容や美容における香水の噴霧用、香りや匂いの検査のための噴霧用などとして用いられ、逆流防止と定量の噴射を可能にしたホースレス型スプレー装置に関するものである。
【０００２】
【従来の技術】
従来より耳鼻咽喉科の薬液噴霧用、理容や美容における香水の噴霧用、香りや匂いの検査のための噴霧用などとしてスプレー装置が用いられてきた。
このスプレー装置は、図４に示すようなホース型スプレー装置１２と、ホースレス型スプレー装置１３とが知られている。
このうち、ホース型スプレー装置１２は、スプレー置き台１０のコンプレッサ１１に連結されたホース１４をスプレー装置１２に直接連結し、このホース型スプレー装置１２を手に持ってノズル１６を鼻孔などの被噴霧部位に臨ませ、弁操作釦１７を操作することによって内部の弁を開閉し、液容器１５の薬液や香水などをノズル１６から噴射するものである。
【０００３】
また、ホースレス型スプレー装置１３は、スプレー置き台１０の蓄圧器２０に差し込むと、弁部１９が開いて小型ボンベ１８に圧搾空気が充填されるので、圧搾空気を充填した後に、このスプレー装置１２を手に持ってノズル１６を鼻孔などの被噴霧部位に臨ませ、弁操作釦１７を操作することによって内部の弁を開閉し、液容器１５の薬液や香水をノズル１６から噴射するものである。
【０００４】
前記ホース型スプレー装置１２は、ホース１４によって大型のコンプレッサ１１に連結されているので、治療その他の作業が長時間に亘っても途中で圧搾空気が不足するようなことがない。しかし、ホース１４を引き回さなければならないので、ホース１４が邪魔になって作業性がよくないこと、ホース１４を含めたホース型スプレー装置１２の滅菌消毒が面倒であることなどの問題があった。
前記ホースレス型スプレー装置１３は、ホース１４がないので引き回す必要がなく作業性はよいが、治療その他の作業が長時間に亘ると、途中で圧搾空気が不足し、その都度充填作業を必要とするという問題があった。
また、圧搾空気を発生するためのコンプレッサ１１が大型であり、装置全体としても大型化すること、コンプレッサ１１のないところでは使用できないことなどの問題があった。
【０００５】
このような問題点を解決するため、本出願人は、図４に示すようなホースレス型スプレー装置１３に、小型ポンプと小型モータを収納したホースレス型スプレー装置を提案した（特願平７−１１２４４１号）。これは、片手で持てる程度の大きさのハウジングにスプレー本体を取付け、このスプレー本体の先端部にノズルを設けてなるスプレー装置において、前記ハウジングに、小型ポンプと小型モータと電源とを内蔵するとともに、この小型モータのオン、オフのための電源スイッチを設け、前記スプレー本体の一端部と前記小型ポンプ６とを連結チューブで連結してなることを特徴とし、さらに必要に応じて小型モータの回転を制御して小型ポンプの圧力を調整する圧力調整用の可変抵抗器を設けてなるホースレス型スプレー装置である。
【０００６】
【発明が解決しようとする課題】
しかし、この先の提案品にも以下のような若干の問題があった。
（１）スプレー本体に取り付けられる液容器の液体は、数種類から数１０種類、場合によっては１００種類以上もあるが、噴霧量を必要最小限にし、かつ使用後に完全に噴霧を遮断しないと、室内が液体の匂いで充満して薬液の効力がなくなったり、匂いの検査ができなくなる。
ところが、先の提案品は、噴霧量を必要最小限に制御するのにやや難点があった。
（２）ホースレス型スプレー装置は高価であるので、１台につき、液体を取り付けたスプレー本体を複数個交換して使用することが望ましい。ところが、完全に噴霧を遮断できないと、液体の匂いがスプレー本体からホースレス型スプレー装置の内部まで逆流してきて汚染されるおそれがあった。
【０００７】
本発明は、先の提案品の特徴を生かしつつ、噴霧量を必要最小限に制御することができるとともに、液体の匂いがスプレー本体からホースレス型スプレー装置の内部まで逆流するようなことのないものを得ることを目的とするものである。
【０００８】
【課題を解決するための手段】
本発明は、片手で持てる程度の大きさのハウジング２１に、スプレー本体４１を液容器１５により着脱自在に設け、このスプレー本体４１の先端部にノズル１６を着脱自在に設けてなるスプレー装置において、前記ハウジング２１に、小型ポンプ２６、小型モータ２７、噴霧量設定用制御回路３０および電源スイッチ２８を具備し、前記スプレー本体４１の差し込み管部２５の一端部と前記小型ポンプ２６とを着脱自在に連結し、前記スプレー本体４１内の前記差し込み管部２５の他端部を逆止弁３３を介して前記液容器１５内に臨ませ、前記スプレー本体４１とノズル１６との間に逆止弁３８を介在し、前記ノズル１６の先端部にゴムキャップ３６を着脱自在に被せてなることを特徴とするホースレス型スプレー装置である。
【０００９】
【作用】
ハウジング２１にスプレー本体４１の差し込み管部２５を差し込むと、エア入出口部３２と差し込み管部２５が連通する。また、使用直前にゴムキャップ３６を外す。
制御回路３０では、例えば、０．５秒間だけ小型モータ２７が作動するように時定数が設定されている。
【００１０】
この状態で、握り部２３を片手で握り、ノズル１６を鼻孔や患部に臨ませて押釦２９を押す。すると、小型モータ２７により小型ポンプ２６が０．５秒間だけ回転し、圧搾空気が送りこまれ、逆止弁３３を押し開いて液容器１５の内部に噴射される。液容器１５の内部圧力によって液体５１が加圧され、液容器１５とスプレー本体４１内に充満していた匂いや微粒噴霧の気体がノズル１６の先端から噴射される。
【００１１】
【実施例】
以下、本発明の実施例を図面に基づき説明する。
本発明の原理的な説明図である図３において、片手で持てる程度の大きさのハウジング２１内に、電源３５、電源スイッチ２８、制御回路３０、可変抵抗４２、小型モータ２７、小型ポンプ２６、連結チューブ４０をすべて内蔵している。前記小型ポンプ２６には、逆止弁２４を介してスプレー本体４１の入力側が連結され、また、出力側にも逆止弁３８を介してノズル１６が連結されている。前記スプレー本体４１の内部においてもチューブ３１の噴射側に逆止弁３３が取り付けられ、さらに、前記ノズル１６の先端に着脱自在にゴムキャップ３６が被せられている。
【００１２】
以上の図３の具体的構成を図１および図２により説明する。
前記片手で持てる程度の大きさのハウジング２１は、角筒状の本体部２２と、角筒状の握り部２３とからなる。
前記本体部２２の内部には、小型ポンプ２６、小型モータ２７、動作時間設定用時定数回路や電圧調整のための制御回路３０、電源スイッチ２８が収納され、この電源スイッチ２８の押釦２９が外側に臨ませて設けられている。
前記小型ポンプ２６の吐出部３４は、連結チューブ４０を介してエア入出口部３２に連結され、このエア入出口部３２の外部への突出部には、スプレー本体４１の連結を兼ねた逆止弁２４が設けられている。
【００１３】
前記握り部２３の内部には電源３５が収納されている。この電源３５は、充電式電池である場合には、充電電極３９が握り部２３の下方部まで突出している。外部電源が交流電圧である場合には、ダイオードその他の整流回路素子が設けられる。なお、前記電源３５は、交換用の乾電池であってもよい。
【００１４】
前記スプレー本体４１の入力側には、差し込み管部２５がＯリングなどを介在して気密に取り付けられ、この差し込み管部２５の外部への突出部分は、逆止弁２４へ挿入されることによって、エア入出口部３２と連通し、差し込み管部２５を抜き取ることによって逆止弁２４が閉じる。
前記スプレー本体４１の内部に臨ませた差し込み管部２５の内方端部分には、可撓性のあるチューブ３１が気密に連結され、このチューブ３１の他端部に逆止弁３３が取り付けられている。この逆止弁３３は、弾性を有するプラスチック材からなり、先端が自身の弾性によって通常は密着して閉じているが、エア入出口部３２側からの圧搾空気によって開き、圧搾空気がなくなると自らの弾性で再び閉じるようにしたものである。
【００１５】
前記スプレー本体４１の下方部の容器嵌合部４５には、液体５１を入れた液容器１５がパッキン４６を介在して気密に取り付けられる。
また、スプレー本体４１の吐出部３４には、前記逆止弁２４と同様の逆止弁３８が取り付けられ、ノズル１６のノズル基端部３７が逆止弁３８へ挿入されることによって、吐出部３４と連通し、ノズル基端部３７を抜き取ることによって逆止弁３８が閉じる。前記ノズル１６の先端部分には、不使用時にゴムキャップ３６が被せられて液容器１５内の匂いが外部へ漏れるのを防止している。
【００１６】
つぎに本発明の作用を説明する。
ハウジング２１の逆止弁２４にスプレー本体４１の差し込み管部２５を差し込むと、エア入出口部３２と差し込み管部２５が連通する。また、使用直前にゴムキャップ３６を外す。
制御回路３０では、例えば、０．５秒間だけ小型モータ２７が作動するように時定数が設定されている。
【００１７】
この状態で、握り部２３を片手で握り、ノズル１６を鼻孔や患部に臨ませて押釦２９を押す。すると、小型モータ２７により小型ポンプ２６が０．５秒間だけ回転し、圧搾空気が吐出部３４から連結チューブ４０、エア入出口部３２、逆止弁２４、差し込み管部２５、チューブ３１を経て送り込まれ、逆止弁３３を押し開いて液容器１５の内部に噴射される。液容器１５の内部圧力によって液体５１が加圧され、液容器１５とスプレー本体４１内に充満していた匂いや微粒噴霧の気体が吐出部３４、逆止弁３８、ノズル基端部３７を経てノズル１６の先端から噴射される。
【００１８】
なお、制御回路３０の時定数は、予め設定されており、電源スイッチ２８の押釦２９を押している時間に関係なく１回の噴霧量は一定となる。噴霧量は、押釦２９を押す回数に比例して多くなる。また、制御回路３０の時定数を可変するつまみを設けておき、目的に応じて調整するようにしても良い。また、小型ポンプ２６の圧力の設定は、必要に応じて別に設けたつまみにより小型モータ２７の回転数を変えて、調整することもできる。
【００１９】
以上のようにして特定のスプレー本体４１または液容器１５を使用した後、ノズル１６の先端にゴムキャップ３６を被せ、差し込み管部２５を逆止弁２４から引き抜くことにより、スプレー本体４１内部の匂いが漏れることはない。ノズル１６のノズル基端部３７を逆止弁３８から引き抜くことによっても、スプレー本体４１内部の匂いが漏れることはない。
同一のハウジング２１に他のスプレー本体４１を連結しても、スプレー本体４１内の匂いは、逆止弁３３で完全に遮断され、ハウジング２１側へ逆流することはない。
【００２０】
本発明のホースレス型スプレー装置は、耳鼻咽喉科の薬液噴霧用、理容や美容における香水の噴霧用、香りや匂いの検査のための噴霧用などとして用いられるが、その使用範囲は実施例に限られるものではない。
【００２１】
前記実施例では、液容器１５とスプレー本体４１内に充満していた匂いや微粒噴霧の気体をノズル１６から噴霧するようにしたが、これに限られるものでなく、吐出部３４から液容器１５の液体５１まで連続する管を差し込み、チューブ３１からの圧搾空気で液体１５を直接微粒化して噴霧したり、液体１５を噴射するような使用をしても良い。
【００２２】
【発明の効果】
（１）本発明によれば、噴霧量を必要最小限に制御することができるので、スプレー本体４１に取り付けられる液容器１５の液体５１が多数種類あっても、薬液の効力が完全になり、匂いの検査も十分にできる。
（２）完全に噴霧を遮断できるので、液体５１の匂いがスプレー本体４１からホースレス型スプレー装置の内部まで逆流してきて汚染されるおそれがなく、ホースレス型スプレー装置が高価でも、１台につき、液体５１を取り付けたスプレー本体４１を複数個交換して使用することができる。
【００２３】
（３）小型ポンプ２６は、電源３５がなくなるまで連続的に駆動でき、治療や洗浄が長時間に亘っても途中で圧搾空気が不足するようなことがない。
（４）ホース１４を引き回す必要がないので、作業性がよく、また、装置まるごとの滅菌消毒が簡単にできる。
【００２４】
（５）可変抵抗４２によって時定数を調整し、小型モータ２７の駆動時間を制御することにより、噴霧量を調整でき、作業内容に応じて装置を交換する必要がない。
また、制御回路３０の時定数は、予め設定されているので、電源スイッチ２８を押圧すると、押している時間に関係なく１回の噴霧量は一定となる。噴霧量は、押釦２９を押す回数に比例して多くなる。したがって、噴霧量を必要最小限に制御することができる。
（６）ハウジング２１には、小型ポンプ２６、小型モータ２７、制御回路３０、電源３５などが収納されるだけであり、装置全体として小型化できる。
【図面の簡単な説明】
【図１】本発明によるホースレス型スプレー装置の一実施例を示す一部切り欠いた正面図である。
【図２】図１の側面図である。
【図３】本発明によるホースレス型スプレー装置の原理的説明図である。
【図４】従来のホース型スプレー装置１２とホースレス型スプレー装置１３を示す正面図である。
【符号の説明】
１０…スプレー置き台、１１…コンプレッサ、１２…ホース型スプレー装置、１３…ホースレス型スプレー装置、１４…ホース、１５…液容器、１６…ノズル、１７…弁操作釦、１８…小型ボンベ、１９…弁部、２０…蓄圧器、２１…ハウジング、２２…本体部、２３…握り部、２４…逆止弁、２５…差し込み管部、２６…小型ポンプ、２７…小型モータ、２８…電源スイッチ、２９…押釦、３０…制御回路、３１…チューブ、３２…エア入出口部、３３…逆止弁、３４…吐出部、３５…電源、３６…ゴムキャップ、３７…ノズル基端部、３８…逆止弁、３９…充電電極、４０…連結チューブ、４１…スプレー本体、４２…可変抵抗、４５…容器嵌合部、４６…パッキン、５１…液体。
【図１】
0003925876.tif 000002
【図２】
0003925876.tif 000003
【図３】
0003925876.tif 000004
【図４】
0003925876.tif 000005